(57)【要約】【課題】安全性および施工性に優れ、低コストで、かつ、被取付部を傷付けることなく取り付け可能な防鳥ネット取付具を提供する。【解決手段】防鳥ネット取付具１は、フランジ５１を挟むように側方から見てＵ字状に形成され、両端に第１端部２１ａおよび第２端部２２ａを有するクリップ部２と、第１端部２１ａに、防鳥ネット６を取り付け可能に設けられたフック部４と、第２端部２２ａに、フランジ５１の取付面５１ａに接触してクリップ部２を保持するように設けられた保持部３とを備える。クリップ部２は、第１端部２１ａを含む第１アーム部２１と、第２端部２２ａを含む第２アーム部２２と、第１アーム部２１および第２アーム部２２をつなぐ連結部２３とを有する。第１端部２１ａと第２端部２２ａとの間隔が、第１アーム部２１における連結部２３側の端部と第２アーム部２２における連結部２３側の端部との間隔よりも小さい。【選択図】図２
2016111958.tif 000002
【特許請求の範囲】
【請求項１】
板状の被取付部に防鳥ネットを取り付けるための防鳥ネット取付具であって、
前記被取付部を挟むように側方から見てＵ字状に形成され、両端に第１端部および第２端部を有するクリップ部と、
前記第１端部に、防鳥ネットを取り付け可能に設けられたフック部と、
前記第２端部に、前記被取付部の取付面に接触して前記クリップ部を保持するように設けられた保持部とを備え、
前記クリップ部は、前記第１端部を含む第１アーム部と、前記第２端部を含む第２アーム部と、前記第１アーム部および前記第２アーム部をつなぐ連結部とを有し、
前記第１端部と前記第２端部との間隔が、前記第１アーム部における前記連結部側の端部と前記第２アーム部における前記連結部側の端部との間隔よりも小さい、防鳥ネット取付具。
【請求項２】
前記クリップ部は、前記第１端部と前記第２端部との間隔が前記被取付部の厚みよりも小さいとともに、前記第１アーム部における前記連結部側の端部と前記第２アーム部における前記連結部側の端部との間隔が前記被取付部の厚み以上である、請求項１に記載の防鳥ネット取付具。
【請求項３】
前記第１アーム部と前記第２アーム部との間隔は、前記連結部から前記第１端部および前記第２端部に向かって徐々に小さくなる、請求項１または２に記載の防鳥ネット取付具。
【請求項４】
前記保持部は、前記第１アーム部の延伸方向に伸びている、請求項１から３のいずれか一つに記載の防鳥ネット取付具。
【請求項５】
前記保持部は、前記第２端部から側方に向かって屈曲している、請求項１から３のいずれか一つに記載の防鳥ネット取付具。
【請求項６】
前記フック部は、側方から見て、前記第１アーム部よりも前記クリップ部の外方に向かって湾曲している、請求項１から５のいずれか一つに記載の防鳥ネット取付具。
【請求項７】
前記フック部は、側方から見て、一部が前記第１アーム部側に向かって延びるように円弧状に湾曲している、請求項６に記載の防鳥ネット取付具。
【請求項８】
１本の線材を折り曲げることにより形成されている、請求項１から７のいずれか一つに記載の防鳥ネット取付具。
【請求項９】
材質はステンレスである、請求項１から８のいずれか一つに記載の防鳥ネット取付具。
【発明の詳細な説明】
【技術分野】
【０００１】
本発明は、鳩、カラス等の鳥類の侵入を防止する防鳥ネットを取り付けるための防鳥ネット取付具に関する。
【背景技術】
【０００２】
近年、駅、神社、道路および線路の高架下、集合住宅のベランダ、工場、倉庫などにおいて、鳥類の侵入に伴う様々な被害（以下、「鳥害」という。）が問題になっている。鳥害対策としては、人型のカカシ、ワシ型の疑似鳥、目玉、反射板などの視覚的なおどしを用いた方法、爆発音などの聴覚的なおどしを用いた方法、防鳥ネットを使用する方法、複数の針を使用する方法、忌避剤を用いる方法、電気ショックを利用する方法などがある。その中でも、防鳥ネットを使用する方法は、鳥類の侵入を高い確率で防止できることから、様々な場所で用いられている。
【０００３】
防鳥ネットを取り付けるための装置として、例えば、特許文献１には、防鳥ネットを巻付けたパイプを固定するための支持バンドが設けられたパイラック（登録商標）等の取付金具を、止着ネジを用いて鋼材のフランジに取り付けた構成が開示されている。
【０００４】
また、特許文献２には、防鳥ネットを取り付けるための取付具を、締付ボルトを用いて鋼材のフランジに取り付けた構成が開示されている。この特許文献２には、略Ｓ字状の断面形状を有する前記取付具が、複数の締付ボルトが螺着された棚板と、前記棚板と相対向して配置された顎板と、これらの両板を接続する背板と、前記顎板の端部に前記背板と平行に配置された補助背板と、前記補助背板の端部に前記顎板と相対向して配置された補助棚板とを備えていることが開示されている。
【先行技術文献】
【特許文献】
【０００５】
【特許文献１】特開２００３−１１６４４５号公報
【特許文献２】特開平１０−２３４２８６号公報
【発明の概要】
【発明が解決しようとする課題】
【０００６】
しかしながら、特許文献１および２に開示された防鳥ネット取付装置では、防鳥ネットを取り付けた取付金具を、止着ネジまたは締結ボルト（以下、「ネジ等」という。）を用いて鋼材のフランジに取り付けているため、使用時にネジ等が緩み、落下する危険性があった。しかも、ネジ等の先端が鋼材に食い込むため、鋼材が凹んだり、鋼材の塗装が剥がれたりするという問題があった。
【０００７】
また、特許文献１および２に開示された防鳥ネット取付装置は、複数の部材からなるため、製造コストが高いという問題があった。さらに、特許文献１および２に開示された防鳥ネット取付装置は、取付方法が複雑であるため、施工性が悪いという問題があった。
【０００８】
本発明は、前記現状に鑑みてなされたもので、安全性および施工性に優れ、低コストで、かつ、被取付部を傷付けることなく取り付け可能な防鳥ネット取付具を提供することを目的とする。
【課題を解決するための手段】
【０００９】
本発明の一実施形態に係る防鳥ネット取付具は、板状の被取付部に防鳥ネットを取り付けるための防鳥ネット取付具である。前記防鳥ネット取付具は、前記被取付部を挟むように側方から見てＵ字状に形成され、両端に第１端部および第２端部を有するクリップ部と、前記第１端部に、防鳥ネットを取り付け可能に設けられたフック部と、前記第２端部に、前記被取付部の取付面に接触して前記クリップ部を保持するように設けられた保持部とを備えている。前記クリップ部は、前記第１端部を含む第１アーム部と、前記第２端部を含む第２アーム部と、前記第１アーム部および前記第２アーム部をつなぐ連結部とを有し、前記第１端部と前記第２端部との間隔が、前記第１アーム部における前記連結部側の端部と前記第２アーム部における前記連結部側の端部との間隔よりも小さい（第１の構成）。
【００１０】
側方から見てＵ字状に形成されたクリップ部は、第１端部と第２端部との間隔が第１アーム部における連結部側の端部と第２アーム部における連結部側の端部との間隔よりも小さいため、防鳥ネット取付具を被取付部に取り付ける際に、第１端部と第２端部との間隔を拡げると、第２端部を含む第２アーム部には元の位置に戻るように弾性復元力が生じる。これにより、クリップ部によって被取付部を挟み込むことができる。しかも、クリップ部の第２端部に設けられた保持部が被取付部に接触するため、被取付部に対して防鳥ネット取付具をより確実に保持することができる。上述の構成を有する防鳥ネット取付具は、構造が簡単で低コストであり、しかも、被取付部に対する取付にネジ等を用いる必要がないため、安全性および施工性に優れているとともに、被取付部を傷付けることがない。
【００１１】
また、上述の防鳥ネット取付具は、クリップ部の第１端部に設けられたフック部に防鳥ネットを引っ掛けることにより、防鳥ネットを容易に取り付けることができる。したがって、防鳥ネット取付具は、防鳥ネットを取り付けるためのパイプ等の部材が不要であるため、従来の構成に比べて低コストであり、しかも施工性に優れている。
【００１２】
前記第１の構成において、前記クリップ部は、前記第１端部と前記第２端部との間隔が前記被取付部の厚みよりも小さいとともに、前記第１アーム部における前記連結部側の端部と前記第２アーム部における前記連結部側の端部との間隔が前記被取付部の厚み以上である（第２の構成）。
【００１３】
上述のようにクリップ部の第１アーム部における連結部側の端部と第２アーム部における連結部側の端部との間隔を被取付部の厚み以上とすることで、防鳥ネット取付具を被取付部に対してより深く差し込むことができる。また、クリップ部の第１端部と第２端部との間隔を被取付部の厚みよりも小さくすることで、被取付部に対して防鳥ネット取付具をより強固に保持することができる。これにより、防鳥ネット取付具は、被取付部から外れにくくなるため、安全性を向上することができる。
【００１４】
前記第１または第２の構成において、前記第１アーム部と前記第２アーム部との間隔は、前記連結部から前記第１端部および前記第２端部に向かって徐々に小さくなる（第３の構成）。
【００１５】
第１アーム部および第２アーム部がこのように形成されていると、防鳥ネット取付具を被取付部に取り付けた際に、第２アーム部全体に弾性復元力が生じるため、被取付部をより強い力で挟むことができる。したがって、被取付部に対して防鳥ネット取付具をより確実に保持することができる。
【００１６】
前記第１から第３の構成のうちいずれか一つの構成において、前記保持部は、前記第１アーム部の延伸方向に伸びている（第４の構成）。
【００１７】
保持部がこのような構成を有することにより、防鳥ネット取付具を被取付部に取り付けた際に、保持部が被取付部に沿うように接触する。これにより、被取付部に対する保持部の接触範囲を大きくすることができるため、被取付部に対して防鳥ネット取付具をより確実に保持することができる。
【００１８】
前記第１から第３の構成のうちいずれか一つの構成において、前記保持部は、前記第２端部から側方に向かって屈曲している（第５の構成）。
【００１９】
保持部がこのような構成を有することにより、防鳥ネット取付具を被取付部に取り付けた際に、保持部によって防鳥ネット取付具を側方から支持することができる。これにより、防鳥ネット取付具を被取付部に対してより確実に取り付けることができる。
【００２０】
前記第１から第５の構成のうちいずれか一つの構成において、前記フック部は、側方から見て、前記第１アーム部よりも前記クリップ部の外方に向かって湾曲している（第６の構成）。
【００２１】
フック部がこのような構成を有することにより、被取付部に対して防鳥ネット取付具を取り付ける際にフック部が被取付部と干渉することを防止できるとともに、被取付部に取り付けた状態の防鳥ネット取付具に防鳥ネットを容易に取り付けることができる。
【００２２】
前記第６の構成において、前記フック部は、側方から見て、一部が前記第１アーム部側に向かって延びるように円弧状に湾曲している（第７の構成）。
【００２３】
フック部の一部が第１アーム部側に向かって延びるように円弧状に湾曲していることにより、フック部に取り付けられた防鳥ネットが容易に外れることを防止できる。
【００２４】
前記第１から第７の構成のうちいずれか一つの構成において、前記防鳥ネット取付具は、１本の線材を折り曲げることにより形成されている（第８の構成）。
【００２５】
１つの線材を折り曲げることにより形成された防鳥ネット取付具は、複数の部材が接続された構成に比べて低コストで製造することができる。しかも、現地で複数の部品を組み合わせる必要もないため、施工性に優れている。
【００２６】
前記第１から第８の構成のうちいずれか一つの構成において、前記防鳥ネット取付具の材質はステンレスである（第９の構成）。
【００２７】
材質がステンレスである防鳥ネット取付具は、錆びにくく耐久性に優れている。
【発明の効果】
【００２８】
本発明の一実施形態に係る防鳥ネット取付具は、側方から見てＵ字状のクリップ部と、その両端に形成されたフック部及び保持部とを備えているため、安全性および施工性に優れ、低コストで、かつ、被取付部を傷付けることなく取り付けることができる。
【図面の簡単な説明】
【００２９】
【図１】図１は、本発明の実施形態に係る防鳥ネット取付具を被取付部材のフランジに取り付けた状態を示す側面図である。
【図２】図２は、実施形態に係る防鳥ネット取付具の側面図である。
【図３】図３は、実施形態に係る防鳥ネット取付具の上面図である。
【図４】図４は、実施形態に係る防鳥ネット取付具の下面図である。
【図５】図５は、実施形態に係る防鳥ネット取付具をフランジの対向する位置に配置した状態を示す側面図である。
【発明を実施するための形態】
【００３０】
以下、図面を参照し、本発明の実施の形態を詳しく説明する。なお、各図中の構成部材の寸法は、実際の構成部材の寸法および各構成部材の寸法比率等を忠実に表したものではない。
【００３１】
（全体構成）
図１は、本発明の実施形態に係る防鳥ネット取付具１を被取付部材５のフランジ５１に取り付けた状態を示す側面図である。本実施形態の防鳥ネット取付具１は、駅などの建築物の天井に配置された被取付部材５（例えばＨ形鋼等）のフランジ５１（被取付部）を挟み込むように、複数、取り付けられる。複数の防鳥ネット取付具１をフランジ５１に取り付けることにより、該複数の防鳥ネット取付具１によって防鳥ネット６を建築物の天井を覆うように保持することができる。
【００３２】
なお、防鳥ネット取付具１が取り付けられる被取付部材５は、防鳥ネット取付具１を取付け可能な板状の被取付部を有する構成であれば、Ｈ形鋼以外の部材であってもよい。また、防鳥ネット取付具１の取付け場所も、建築物の天井に限らず、壁面や隙間など、鳥が侵入する可能性がある部分であれば、どのような場所であってもよい。
【００３３】
図２から図４に、防鳥ネット取付具１の全体構成を示す。図２は、防鳥ネット取付具１を側方から見た図である。図３は、防鳥ネット取付具１を上方から見た図である。図４は、防鳥ネット取付具１を下方から見た図である。
【００３４】
ここで、防鳥ネット取付具１の側方（以下、単に側方という）とは、防鳥ネット取付具１に対して、後述するクリップ部２が図２のようにＵ字状に見える方向をいう。また、防鳥ネット取付具１の上方（以下、単に上方という）とは、図２における紙面上側を意味し、防鳥ネット取付具１の下方（以下、単に下方という）とは、図２における紙面下側を意味する。
【００３５】
図１及び図２に示すように、本実施形態に係る防鳥ネット取付具１は、ステンレス製の１本の線材を折り曲げることにより形成されている。防鳥ネット取付具１は、クリップ部２と、保持部３と、フック部４とを備えている。クリップ部２は、防鳥ネット取付具１を側方から見てＵ字状に形成されている。クリップ部２の両端には、保持部３及びフック部４が設けられている。防鳥ネット取付具１は、クリップ部２が被取付部材５のフランジ５１を挟み込むとともに、保持部３がフランジ５１の上側の取付面５１ａ上に位置し且つフック部４がフランジ５１の下方に位置するように、該フランジ５１に取り付けられる。なお、取付面５１ａは、フランジ５１の各面のうち保持部３が接触する面である。
【００３６】
（クリップ部）
クリップ部２は、第１端部２１ａを含む第１アーム部２１と、第２端部２２ａを含む第２アーム部２２と、第１アーム部２１および第２アーム部２２をつなぐ連結部２３とを有する。
【００３７】
第１アーム部２１は、直線状に延びていて、一方の端部がクリップ部２の第１端部２１ａを構成する。第２アーム部２２は、第１アーム部２１と同様に直線状に延びていて、一方の端部がクリップ部２の第２端部２２ａを構成する。クリップ部２の第１端部２１ａにフック部４が設けられているとともに、クリップ部２の第２端部２２ａに保持部３が設けられている。
【００３８】
第２アーム部２２は、第２端部２２ａが第１端部２１ａに近づくように、第１アーム部２１に対して斜めに形成されている。連結部２３は、第１アーム部２１の他方の端部と第２アーム部の他方の端部とを繋いでいる。これにより、クリップ部２は、第１アーム部２１および第２アーム部２２が、第１端部２１ａ及び第２端部２２ａに向かって徐々に間隔が小さくなるような側面視でＵ字状に形成されている。
【００３９】
クリップ部２は、第１アーム部２１および第２アーム部２２の一方の端部同士（第１端部２１ａと第２端部２２ａ）の間隔が他方の端部（連結部２３側の端部）同士の間隔よりも小さくなるように形成されている。詳しくは、クリップ部２において、第１アーム部２１および第２アーム部２２の一方の端部同士（第１端部２１ａと第２端部２２ａ）の間隔はフランジ５１の厚みよりも小さく、且つ、他方の端部同士の間隔はフランジ５１の厚み以上である。
【００４０】
ここで、端部同士の間隔とは、防鳥ネット取付具１を側方から見て、第１アーム部２１の直交方向における該第１アーム部２１の端部と第２アーム部２２の端部との間隔を意味する。例えば、第１端部２１ａと第２端部２２ａとの間隔は、防鳥ネット取付具１を側方から見て、第１アーム部２１の直交方向における第１端部２１ａと第２端部２２ａとの間隔を意味する。また、第１アーム部２１および第２アーム部２２の他方の端部同士の間隔は、防鳥ネット取付具１を側方から見て、第１アーム部２１の直交方向における該第１アーム部２１の他方の端部と第２アーム部２２の他方の端部との間隔を意味する。
【００４１】
クリップ部２は、第１アーム部２１と連結部２３とが側面視でクリップ部２の内方に直角をなすとともに、第２アーム部２２と連結部２３とが側面視でクリップ部２の内方に鋭角をなすように形成されている。
【００４２】
上述のように側面視でＵ字状の形状を有するクリップ部２において、第２アーム部２２を第１アーム部２１に対して両者の間隔を拡げるように変位させた場合に該第２アーム部２２に元の位置に戻ろうとする弾性復元力が生じる。この弾性復元力によって、第１アーム部２１と第２アーム部２２との間にフランジ５１を挟み込むことが可能になる。
【００４３】
特に、クリップ部２は、第１アーム部２１および第２アーム部２２の一方の端部同士（第１端部２１ａと第２端部２２ａ）の間隔が他方の端部同士の間隔よりも小さいため、第１アーム部２１および第２アーム部２２の一方の端部同士の間隔を拡げることにより、第２アーム部２２により大きな弾性復元力を生じさせることができる。これにより、第１アーム部２１と第２アーム部２２との間にフランジ５１をより確実に挟み込むことができる。
【００４４】
しかも、クリップ部２は、第１アーム部２１および第２アーム部２２の一方の端部同士の間隔はフランジ５１の厚みよりも小さく、且つ、他方の端部同士の間隔はフランジ５１の厚み以上であるため、フランジ５１を第１アーム部２１および第２アーム部２２によってより確実に挟み込むことができるとともに、フランジ５１のより内側の位置をクリップ部２によって挟み込むことができる。すなわち、このようなクリップ部２の形状にすることで、図１に示すように、クリップ部２の連結部２３がフランジ５１の端部に当たる位置までクリップ部２をフランジ５１に対して押し込むことができ、保持部３が防鳥ネット取付具１をフランジ５１のより内側の位置で保持することができる。
【００４５】
また、クリップ部２は、第１端部２１ａ及び第２端部２２ａに向かって徐々に第１アーム部２１と第２アーム部２２との間隔が小さくなるように形成されているため、第２アーム部２２を第１アーム部２１に対して離間させるように変位させた場合に、該第２アーム部２２に十分な弾性復元力を生じさせることができる。すなわち、フランジ５１に防鳥ネット取付具１を取り付ける際に、第２アーム部２２の全体に弾性復元力が生じるため、防鳥ネット取付具１の保持力が高まって、フランジ５１に対して防鳥ネット取付具１をより確実に保持することができる。
【００４６】
さらに、クリップ部２の第１アーム部２１が直線状に形状されているため、防鳥ネット取付具１をフランジ５１に取り付けた状態で、直線状の第１アーム部２１は、図１に示すように、フランジ５１の下面に沿うように配置される。これにより、フランジ５１に対してクリップ部２をより確実に密着させることができ、防鳥ネット取付具１のフランジ５１に対する保持力を向上することができる。
【００４７】
しかも、第１アーム部２１と連結部２３とは直角をなしているので、該第１アーム部２１がフランジ５１の下面に沿うように防鳥ネット取付具１をフランジ５１に取り付ける際に、該フランジ５１の端部に対してクリップ部２をできるだけ奥まで押し込むことができる。これにより、フランジ５１に対して防鳥ネット取付具１をより確実に保持することができる。
【００４８】
（保持部）
図２に示すように、保持部３は、第１アーム部２１の延伸方向に伸びている。図３に示すように、保持部３は、第２アーム部２２の第２端部２２ａから該第１アーム部２１の延伸方向外方に向かって突出し、且つ、第２端部２２ａから防鳥ネット取付具１の側方に向かって突出するように屈曲している。すなわち、保持部３は、防鳥ネット取付具１の側方から見て、第１アーム部２１に対して平行に延びているとともに、平面視で防鳥ネット取付具１の側方に向かって屈曲部分が突出するようにＵ字状に形成されている。なお、保持部３を構成する線材の先端部３ａは、平面視でＵ字状の保持部３の内方に向かって延びている。
【００４９】
以上のような形状を有する保持部３により、防鳥ネット取付具１をフランジ５１に取り付けた際に、該防鳥ネット取付具１がフランジ５１に対して安定した状態で保持される。すなわち、保持部３は、防鳥ネット取付具１を側方から支持するようにフランジ５１の取付面５１ａに対して線接触するため、フランジ５１に対する防鳥ネット取付具１の接触領域を拡大することができるとともに、防鳥ネット取付具１が側方に傾くことを防止できる。これにより、フランジ５１に対して防鳥ネット取付具１を安定して保持することができる。
【００５０】
また、防鳥ネット取付具１を側方から見て、保持部３が第１アーム部２１に対して平行に延びているため、防鳥ネット取付具１をフランジ５１に取り付けた状態で、保持部３がフランジ５１の取付面５１ａに沿うように配置される。これにより、フランジ５１に対する保持部３の接触領域をより拡大することができるため、フランジ５１に対して防鳥ネット取付具１をより安定して保持することができる。
【００５１】
しかも、保持部３を構成する線材の先端部３ａが平面視でＵ字状の保持部３の内方に向かって延びていることにより、保持部３の剛性を高めることができ、該保持部３によって防鳥ネット取付具１をフランジ５１に対してより確実に保持することができる。
【００５２】
なお、保持部は、上記構成に限定されるものではなく、フランジ５１の取付面５１ａに接触して防鳥ネット取付具１を保持可能な構成であれば、平面視でＬ字状に折曲した構成やＶ字状に折曲した構成など、どのような構成であってもよい。また、保持部は、防鳥ネット取付具１の側方に向かって折曲部分が突出した形状に限らず、防鳥ネット取付具１の側方の両側に折曲部分が突出するように平面視で楕円状に形成された形状であってもよい。さらに、保持部３を構成する線材の先端部３ａは、平面視でＵ字状の保持部３の外方に向かって延びる構成や、曲がることなく直線状に延びる構成であってもよい。
【００５３】
（フック部）
図２に示すように、フック部４は、第１アーム部２１の一方の端部、すなわち第１端部２１ａに、側方から見て、第２アーム部２２よりもクリップ部２の外方に向かって円弧状に湾曲するように形成されている。本実施形態では、図３及び図４に示すように、フック部４は、防鳥ネット取付具１を平面で見て、フック部４の先端部４ａが第１アーム部２１よりも側方に突出するようにらせん状に形成されている。図１に示すように、フック部４には、防鳥ネット６のネット本体６１の端部に形成されたループ６２が引っ掛けられる。
【００５４】
上述のように側方から見てフック部４がクリップ部２の外方に向かって湾曲していることにより、防鳥ネット取付具１をフランジ５１に取り付けた際に、フック部４はフランジ５１と干渉することなく該フランジ５１の下方に位置付けられる。これにより、フック部４がフランジ５１に対する防鳥ネット取付具１の取付け作業性に影響を及ぼすことを防止できるとともに、フック部４に防鳥ネット６のループ６２を容易に取り付けることができる。
【００５５】
また、防鳥ネット取付具１を平面で見て、フック部４の先端部４ａが第１アーム部２１よりも側方に突出しているため、フック部４の先端部４ａに防鳥ネット６のループ６２を容易に引っ掛けることができる。
【００５６】
しかも、フック部４は、側方から見て、先端部４ａが第１アーム部２１側に延びる円弧状に形成されているため、防鳥ネット６のループ６２がフック部４から外れにくくなる。特に、本実施形態のように、フック部４をらせん状に形成することで、防鳥ネット６のループ６２がフック部４から外れることをより確実に防止できる。
【００５７】
なお、フック部４の先端部４ａは、第１アーム部２１側に延びていなくてもよい。すなわち、フック部は、側方から見て、一部が第１アーム部２１側に向かって延びる円弧状に形成されていれば、先端部は、円弧状の部分から接線方向に延びる直線形状など、どのような形状であってもよい。
【００５８】
本実施形態では、フック部４は、らせん状に形成されているが、これに限らず、先端部が第１アーム部２１との間に隙間を形成するように円形状に形成されていてもよい。このような円形状のフック部において、防鳥ネット６のループ６２が外れないようにするため、側方から見て先端部４ａが円形状のフック部４の中心よりも上に位置することが好ましい。なお、フック部４の形状は、防鳥ネット６を引っ掛けることができる形状であれば、らせん状や円形状以外の形状であってもよい。
【００５９】
＜その他の実施形態＞
前記実施形態では、防鳥ネット取付具１は、ステンレス製の１本の線材によって構成されている。しかしながら、防鳥ネット取付具は、複数本の線材を組み合わせることにより構成されていてもよいし、ステンレス以外の材質であってもよい。また、防鳥ネット取付具は、板状の部材であってもよい。なお、防鳥ネット取付具が板状の部材によって構成される場合にも、「側方」とは、防鳥ネット取付具のフック部がＵ字状に見える方向を言う。
【００６０】
前記実施形態では、クリップ部２は、防鳥ネット取付具１を側方から見て、第２アーム部２２が第１アーム部２１に対して斜めに形成されている。しかしながら、クリップ部２は、第１アーム部２１が第２アーム部２２に対して斜めに形成されていてもよい。すなわち、クリップ部２は、第２アーム部２２と連結部２３とが直角をなし、第１アーム部２１と連結部２３とが鋭角をなすように形成されていてもよい。
【００６１】
前記実施形態では、防鳥ネット取付具１をフランジ５１に取り付けた状態で、該フランジ５１の上側に保持部３が位置付けられ、該フランジ５１の下側にフック部４が位置付けられる。しかしながら、保持部３がフランジ５の下側に位置付けられ、フック部４がフランジ５の上側に位置付けられるように、防鳥ネット取付具１をフランジ５１に取り付けてもよい。
【００６２】
本実施形態では、防鳥ネット取付具１のフック部４に、防鳥ネット６のループ６２を引っ掛けている。しかしながら、防鳥ネット取付具１のフック部４に、防鳥ネット６のネット本体６１の一部を引っ掛けてもよい。
【００６３】
前記実施形態では、フランジ５１に対して一つの防鳥ネット取付具１を取り付けている。しかしながら、図５に示すように、Ｈ形鋼などの被取付部材５のフランジ５１に、対向するように一対の防鳥ネット取付具１を取り付けてもよい。この場合には、フランジ５１の下側で一対の防鳥ネット取付具１のフック部４が対向して配置される。そして、それぞれの防鳥ネット取付具１のフック部４に防鳥ネット６のループ６２を取り付けることにより、フランジ５１を挟んで被取付部材５の両側に防鳥ネット６を配置することができる。
【産業上の利用可能性】
【００６４】
本発明の一実施形態に係る防鳥ネット取付具は、駅、神社、道路および線路の高架下、集合住宅のベランダ、工場、倉庫などで防鳥ネットを取り付ける際に好適に用いることができる。
【符号の説明】
【００６５】
１  防鳥ネット取付具
２  クリップ部
３  保持部
４  フック部
５  被取付部材
６  防鳥ネット
２１  第１アーム部
２１ａ  第１端部
２２  第２アーム部
２２ａ  第２端部
２３  連結部
５１  フランジ（被取付部）
【図１】
2016111958.tif 000003
【図２】
2016111958.tif 000004
【図３】
2016111958.tif 000005
【図４】
2016111958.tif 000006
【図５】
2016111958.tif 000007